(57)【要約】【課題】内部圧力の上昇に耐え得るとともに、生産性の悪化を抑制できる蓄電装置を提供すること。【解決手段】二次電池１０において、蓋体１５の外側面１５ａから挿入部１７の外側面１７ａまでの第１長さＬ１は、一定の内部圧力がケースに印加されたときに接合部Ｇに発生する応力が小さい方で収束するときの値より長く、第２長さＬ２より短い。【選択図】図５
2019160743.tif 000002
【特許請求の範囲】
【請求項１】
開口部を有する金属製のケース本体、及び前記開口部を閉塞した金属製の蓋体を有するケースと、
前記ケース本体と前記蓋体の接合部と、
前記蓋体から前記ケース本体内に露出した基部、及び前記基部に接続され前記蓋体上に設けられる外部接続端子を有する端子部と、
前記基部と前記蓋体とを絶縁する絶縁部材と、を備える蓄電装置であって、
矩形板状の前記蓋体は、
前記開口部の内周形状に対応し、前記開口部に挿入された矩形柱状の挿入部と、
前記挿入部よりも外側に位置するように前記蓋体の縁部に設けられ、前記ケース本体の開口部を囲む端面に支持された支持部と、
前記挿入部における前記ケース本体内への突出方向の先端面から凹み、前記絶縁部材が入り込んだ凹部と、を有し、
前記接合部は、前記支持部と前記ケース本体を接合して形成されており、
前記蓋体は、前記挿入部の先端面側から見た平面視において前記蓋体の外形線に沿う面に外側面を有し、
前記平面視において前記挿入部の外形線に沿う面に前記挿入部の外側面を有し、
前記平面視において前記凹部は矩形状であるとともに前記凹部の外形線に沿う面に前記挿入部の内側面を有し、
前記蓋体の外側面から前記挿入部の外側面までの長さを第１長さとし、
前記蓋体の外側面から前記挿入部の内側面までの長さを第２長さとすると、
前記第１長さは、一定の内部圧力が前記ケースに印加されたときに前記接合部に発生する応力が小さい方で収束するときの値より長く、かつ前記第２長さより短いことを特徴とする蓄電装置。
【請求項２】
前記接合部において最も前記ケース本体の内側面に近い位置を内端とし、前記接合部の内端から前記挿入部の外側面までの長さを第３長さとすると、前記第３長さは１．２ｍｍ以上である請求項１に記載の蓄電装置。
【請求項３】
前記蓄電装置は二次電池である請求項１又は請求項２に記載の蓄電装置。
【発明の詳細な説明】
【技術分野】
【０００１】
本発明は、ケース本体と蓋体とを接合したケースを備える蓄電装置に関する。
【背景技術】
【０００２】
ＥＶ（Electric Vehicle）やＰＨＶ（Plug in Hybrid Vehicle）などの車両には、走行用モータへの供給電力を蓄える蓄電装置としての二次電池が搭載されている。二次電池としては、例えば、正極及び負極をセパレータを間に挟んだ状態で積層した電極組立体をケース内に収容して構成されたものがある。ケースは、例えば、特許文献１のように、開口部を有する容器本体（ケース本体）と、容器本体の開口部を塞ぐ蓋部（蓋体）とを有する。容器本体と蓋部とは溶接によって接合され、溶接された箇所には接合部が形成される。蓋部には、接合部より内側において、接合部より容器本体側に突出する凸部が形成されている。例えば、溶接時に発生するスパッタは、容器内部に飛散すると、電極組立体を損傷させる虞があるが、凸部はこのような不具合の発生を抑制できる。
【先行技術文献】
【特許文献】
【０００３】
【特許文献１】特開２０１３−９１０８５号公報
【発明の概要】
【発明が解決しようとする課題】
【０００４】
ところで、二次電池においては、過度な充放電等によってガスが発生し、内部圧力が高まることがある。ケースに内部圧力が印加されると、蓋体は外に向けて膨らむ変形モードで変形する。特許文献１の構造では、蓋体が膨らむと、接合部の内端に最大応力が作用する。このような最大応力に耐え得る強度を接合部に付与するためには、例えば溶接の深さを増し、接合部の強度を上げることが考えられる。しかし、その場合には、溶接に要する時間が長くなり、生産性が悪化して好ましくない。
【０００５】
本発明の目的は、内部圧力の上昇に耐え得るとともに、生産性の悪化を抑制できる蓄電装置を提供することにある。
【課題を解決するための手段】
【０００６】
上記問題点を解決するための蓄電装置は、開口部を有する金属製のケース本体、及び前記開口部を閉塞した金属製の蓋体を有するケースと、前記ケース本体と前記蓋体の接合部と、前記蓋体から前記ケース本体内に露出した基部、及び前記基部に接続され前記蓋体上に設けられる外部接続端子を有する端子部と、前記基部と前記蓋体とを絶縁する絶縁部材と、を備える蓄電装置であって、矩形板状の前記蓋体は、前記開口部の内周形状に対応し、前記開口部に挿入された矩形柱状の挿入部と、前記挿入部よりも外側に位置するように前記蓋体の縁部に設けられ、前記ケース本体の開口部を囲む端面に支持された支持部と、前記挿入部における前記ケース本体内への突出方向の先端面から凹み、前記絶縁部材が入り込んだ凹部と、を有し、前記接合部は、前記支持部と前記ケース本体を接合して形成されており、前記蓋体は、前記挿入部の先端面側から見た平面視において前記蓋体の外形線に沿う面に外側面を有し、前記平面視において前記挿入部の外形線に沿う面に前記挿入部の外側面を有し、前記平面視において前記凹部は矩形状であるとともに前記凹部の外形線に沿う面に前記挿入部の内側面を有し、前記蓋体の外側面から前記挿入部の外側面までの長さを第１長さとし、前記蓋体の外側面から前記挿入部の内側面までの長さを第２長さとすると、前記第１長さは、一定の内部圧力が前記ケースに印加されたときに前記接合部に発生する応力が小さい方で収束するときの値より長く、かつ前記第２長さより短いことを要旨とする。
【０００７】
これによれば、挿入部を備える蓋体において、ケースの内部圧力が高まり、ケースに内部圧力が印加されると、蓋体は外に向けて膨らむ変形モードで変形する。ケース本体の厚さが一定とすると、第１長さが短くなるほど、接合部とケース本体の内側面とが近付き、蓋体は、接合部における最もケース本体の内側面に近い内端に最大応力が作用しやすく、その接合部の内端を変形起点として変形しやすくなる。一方、第１長さが長くなるほど、接合部と挿入部の外側面とが離れ、蓋体の挿入部と支持部の交差部に最大応力が作用しやすくなり、その交差部を変形起点として変形しやすくなる。最大応力が作用する箇所、すなわち変形起点が接合部から離れるほど、蓋体の変形時に接合部に発生する応力は小さくなり、最大応力に耐え得るように接合部の強度を上げる必要がなく、例えば、接合部を溶接で形成する場合には、溶接の深さを増やすために、溶接時間を長くする必要もない。よって、蓄電装置によれば、内部圧力の上昇に耐え得ることができるとともに、生産性の悪化を抑制できる。
【０００８】
そして、接合部に発生する応力が小さくなる方で収束するときの第１長さが発明者によって実証されており、この応力が収束するときの値より長くなるように第１長さを設定した。このため、接合部に発生する応力を小さくし、接合部が破壊されることを抑制してケース本体から蓋体が剥がれることを抑制できる。また、第１長さを第２長さより短くすることで、支持部が長くなりすぎて挿入部を確保できなくなることをなくし、蓋体の剛性を維持できる。
【０００９】
また、蓄電装置について、前記接合部において最も前記ケース本体の内側面に近い位置を内端とし、前記接合部の内端から前記挿入部の外側面までの長さを第３長さとすると、前記第３長さは１．２ｍｍ以上であることが好ましい。
【００１０】
これによれば、挿入部と支持部の交差部を変形起点とした変形モードを発生させるためには、接合部の内端と挿入部の外側面とを一定距離以上、離す必要があり、この一定距離を第３長さとして１．２ｍｍ以上とした。このため、挿入部と支持部の交差部を変形起点とした変形モードを発生させることができ、接合部に発生する応力を小さくできる。
【００１１】
前記蓄電装置は二次電池である。
【発明の効果】
【００１２】
本発明によれば、内部圧力の上昇に耐え得るとともに、生産性の悪化を抑制できる。
【図面の簡単な説明】
【００１３】
【図１】実施形態の二次電池を示す斜視図。
【図２】蓋体を挿入部側から示す斜視図。
【図３】端子部を示す断面図。
【図４】第１長さと応力との関係を示すグラフ。
【図５】（ａ）は接合部周辺を示す拡大断面図、（ｂ）は蓋体が変形したときの接合部周辺を示す拡大断面図。
【図６】（ａ）は比較例の接合部周辺を示す拡大断面図、（ｂ）は比較例において蓋体が変形したときの接合部周辺を示す拡大断面図。
【発明を実施するための形態】
【００１４】
以下、蓄電装置を二次電池に具体化した一実施形態を図１〜図６にしたがって説明する。
図１又は図３に示すように、蓄電装置としての二次電池１０はケース１１を備える。二次電池１０は、ケース１１内に収容された電極組立体１２及び電解液（図示せず）を備える。ケース１１は、開口部Ｓを有する有底四角筒状のケース本体１４と、このケース本体１４の開口部Ｓを閉塞する矩形板状の蓋体１５とを有している。ケース本体１４と蓋体１５は、何れも金属製である。本実施形態では、ケース本体１４と蓋体１５はアルミニウム製である。また、本実施形態の二次電池１０は、その外観が角型をなす角型電池である。また、本実施形態の二次電池１０は、リチウムイオン電池である。
【００１５】
ケース本体１４は、矩形平板状の底壁１４ａと、この底壁１４ａの四辺から立設された四角筒状の周壁１４ｂと、を有する。ケース本体１４は、開口部Ｓを囲む周壁１４ｂの端面に載置面１４ｃを備える。載置面１４ｃには、蓋体１５が載置されている。載置面１４ｃは平坦面状である。また、ケース本体１４は、周壁１４ｂにおいて電極組立体１２に対向する面に内側面１４ｅを備え、ケース本体１４の外に露出する面に外側面１４ｄを備える。内側面１４ｅ及び外側面１４ｄは平坦面状である。
【００１６】
蓋体１５は、矩形平板状である。また、蓋体１５は、ケース本体１４の開口部Ｓの内周形状に対応した挿入部１７を備える。挿入部１７は、蓋体１５の外形と相似形である。挿入部１７は矩形柱状であり、ケース本体１４の開口部Ｓに挿入されている。蓋体１５は、ケース本体１４内への突出方向の先端に先端面１７ｂを備える。
【００１７】
蓋体１５は、蓋体１５の四辺に沿う縁部に支持部１８を備える。支持部１８は挿入部１７を囲む四角環状であり、蓋体１５において挿入部１７より外側に位置する部分である。支持部１８は、ケース本体１４の載置面１４ｃに支持されている。また、蓋体１５は、長手方向の両側に、挿入部１７の先端面１７ｂから矩形状に凹む凹部１９を備える。
【００１８】
図２に示すように、蓋体１５を挿入部１７の先端面１７ｂ側から見た平面視（以下、単に蓋体１５の平面視とする）において、蓋体１５は、その外形線に沿う面に外側面１５ａを有する。また、蓋体１５は、平面視において、挿入部１７の外形線に沿う面に挿入部１７の外側面１７ａを有する。蓋体１５は、平面視において凹部１９の矩形に沿う面に挿入部１７の内側面１７ｃを有する。
【００１９】
このような蓋体１５は、アルミニウム製の矩形状の板材を、挿入部１７が支持部１８から突出するとともに、挿入部１７の先端面１７ｂに凹部１９が形成されるようにプレスして製造されている。
【００２０】
図３に示すように、上記蓋体１５は、支持部１８が周壁１４ｂの載置面１４ｃに接触した状態で支持されている。支持部１８は、載置面１４ｃに支持された面に当接面１８ａを備える。当接面１８ａは平坦面状である。そして、支持部１８の当接面１８ａが、周壁１４ｂの載置面１４ｃに支持された状態で、支持部１８と周壁１４ｂとが溶接されて接合部Ｇが形成されている。接合部Ｇによって、蓋体１５とケース本体１４が一体化されている。
【００２１】
電極組立体１２は、シート状の複数の正極電極２０とシート状の複数の負極電極２１とを備える。正極電極２０と負極電極２１とは異なる極性の電極である。詳細に図示しないが、正極電極２０は、正極金属箔（本実施形態ではアルミニウム箔）と、その正極金属箔の両面に存在する正極活物質層とを有する。負極電極２１は、負極金属箔（本実施形態では銅箔）と、その負極金属箔の両面に存在する負極活物質層とを有する。電極組立体１２は、複数の正極電極２０と複数の負極電極２１の間にこれらを絶縁するセパレータ（図示せず）を介在させて層状とした積層型である。
【００２２】
正極電極２０は、正極電極２０の一辺の一部から突出した形状のタブ２０ａを有する。負極電極２１は、負極電極２１の一辺の一部から突出した形状のタブ２１ａを有する。複数の正極のタブ２０ａ、及び複数の負極のタブ２１ａは、正極電極２０及び負極電極２１が積層された状態で、正極のタブ２０ａと負極のタブ２１ａとが重ならない位置にそれぞれ設けられている。
【００２３】
電極組立体１２は、正極のタブ群２２を有する。正極のタブ群２２は、全ての正極のタブ２０ａを積層して構成されている。電極組立体１２は、負極のタブ群２２を有する。負極のタブ群２２は、全ての負極のタブ２１ａを積層して構成されている。
【００２４】
二次電池１０は、正極のタブ群２２、又は負極のタブ群２２を、ケース１１外と接続するための端子部２９を備える。端子部２９は、引出端子２４、外部接続端子２６、及び端子接続部材２７を備える。
【００２５】
正極のタブ群２２には正極の導電部材２３の長手方向一端側が接合されている。正極の導電部材２３の長手方向他端側には正極の引出端子２４が接合されている。負極のタブ群２２には負極の導電部材２３の長手方向一端側が接合されている。負極の導電部材２３の長手方向他端側には負極の引出端子２４が接合されている。引出端子２４は、導電部材２３を介してタブ群２２と電気的に接続されている。よって、引出端子２４は電極組立体１２と電気的に接続されている。
【００２６】
引出端子２４は、後述の端子接続部材２７と電気的に接続される軸部２４ａと、導電部材２３と電気的に接続される基部２４ｂとを軸方向に連続して備える。引出端子２４は、基部２４ｂを導電部材２３に接合して導電部材２３と一体化されている。基部２４ｂは、蓋体１５からケース本体１４内に露出している。また、軸部２４ａは、基部２４ｂから蓋体１５側に突出し、蓋体１５を貫通している。
【００２７】
蓋体１５の外面には外側絶縁部材２５が配置されている。外側絶縁部材２５は、引出端子２４を蓋体１５から絶縁する。外側絶縁部材２５は合成樹脂製である。外側絶縁部材２５には、軸部２４ａが貫通しているとともに、外側絶縁部材２５によって外部接続端子２６が蓋体１５から絶縁されている。外部接続端子２６は蓋体１５上に設けられ、二次電池１０同士を電気的に接続するバスバーを固定可能とする。
【００２８】
外側絶縁部材２５を貫通した軸部２４ａと外部接続端子２６とは端子接続部材２７によって接続されている。端子接続部材２７の長手方向の一端側には外部接続端子２６が接合されている。端子接続部材２７の長手方向の他端側には引出端子２４の軸部２４ａがかしめられている。したがって、引出端子２４の基部２４ｂは、端子接続部材２７を介して外部接続端子２６と接続されている。
【００２９】
引出端子２４の基部２４ｂは、内側絶縁部材２８によって蓋体１５から絶縁されている。内側絶縁部材２８は、四角板状である。内側絶縁部材２８は、蓋体１５と基部２４ｂの接触を規制するとともに、蓋体１５と基部２４ｂとを絶縁する。内側絶縁部材２８は、蓋体１５の凹部１９に蓋体１５側の端部が入り込んでいる。
【００３０】
そして、端子接続部材２７を貫通した軸部２４ａの先端部が軸方向にかしめられることにより、軸部２４ａと基部２４ｂによって、内側絶縁部材２８、蓋体１５、外側絶縁部材２５、及び端子接続部材２７が挟持されている。この挟持により、引出端子２４が蓋体１５に固定されている。
【００３１】
図１に示すように、二次電池１０は、蓋体１５に配置された圧力開放弁３０を備える。ケース１１の内部圧力が過度に上昇すると、ケース１１が膨張変形し、隣接する二次電池１０や装置を圧迫したり、破断により内部の電解液が漏れ出す。そこで、圧力開放弁３０は、ケース１１の内部圧力が上昇し過ぎないように、ケース１１の内部圧力が所定の圧力である開放圧に達した場合に開裂し、ケース１１の内部圧力をケース１１外に開放させる。圧力開放弁３０の開放圧は、例えば、ケース１１が過度な変形を生じる前に圧力開放弁３０が開裂し得る圧力に設定されている。
【００３２】
次に、蓋体１５について作用とともに詳細に説明する。
図５（ａ）に示すように、蓋体１５の外側面１５ａと挿入部１７の内側面１７ｃとを最短距離で結ぶ直線の延びる方向を蓋体１５の面方向Ｙとする。面方向Ｙに沿って蓋体１５の外側面１５ａと挿入部１７の外側面１７ａとを最短距離で結ぶ直線の長さを第１長さＬ１とする。第１長さＬ１は、蓋体１５の外側面１５ａから挿入部１７の外側面１７ａまでの長さである。また、第１長さＬ１は、面方向Ｙに沿った支持部１８の長さである。なお、第１長さＬ１は、蓋体１５の長手方向及び短手方向のいずれも同じである。
【００３３】
第１長さＬ１は、周壁１４ｂの厚さＤよりも長い。これは、周壁１４ｂの載置面１４ｃに支持部１８を支持させるためである。図６（ａ）に示すように、第１長さＬ１が短くなり、第１長さＬ１が周壁１４ｂの厚さＤに近付くほど、面方向Ｙに沿って、周壁１４ｂの内側面１４ｅと挿入部１７の外側面１７ａとが近接し、面方向Ｙに沿って接合部Ｇが挿入部１７の外側面１７ａに近接する。
【００３４】
また、図５（ａ）に示すように、蓋体１５において、面方向Ｙに沿って蓋体１５の外側面１５ａと挿入部１７の内側面１７ｃとを最短距離で結ぶ直線の長さを第２長さＬ２とする。第２長さＬ２は、蓋体１５の外側面１５ａから挿入部１７の内側面１７ｃまでの長さである。第２長さＬ２は、第１長さＬ１より長い。これは、蓋体１５の挿入部１７を確保しつつ、挿入部１７に凹部１９を確保するためである。なお、第２長さＬ２は、蓋体１５の長手方向及び短手方向のいずれも同じである。
【００３５】
接合部Ｇのうち、面方向Ｙにおいて周壁１４ｂの内側面１４ｅに最も近い位置を内端Ｇａとする。面方向Ｙに沿って接合部Ｇの内端Ｇａと挿入部１７の外側面１７ａとを最短距離で結ぶ直線の長さを第３長さＬ３とする。第３長さＬ３は、接合部Ｇの内端Ｇａから挿入部１７の外側面１７ａまでの長さである。周壁１４ｂの厚さＤを一定とすると、第１長さＬ１が短くなるほど、面方向Ｙに沿って接合部Ｇが挿入部１７に近付き、第３長さＬ３が短くなる。一方、第１長さＬ１が長くなるほど、面方向Ｙに沿って接合部Ｇが挿入部１７から離れ、第３長さＬ３が長くなる。
【００３６】
二次電池１０では、例えば、過度な充放電によってケース１１内にガスが発生し、ケース１１の内部圧力が高まることがある。そして、圧力開放弁３０が開放していない状態では、二次電池１０のケース１１が内部圧力の上昇に伴って膨張し、変形する。蓋体１５の変形モードとしては、蓋体１５の短手方向の中央部付近が外に向かって膨らむ変形が、蓋体１５の長手方向全体に亘って生じる変形モードが多い。
【００３７】
このような変形モードでは、接合部Ｇには応力が発生する。
図６（ａ）に示す比較例のように、第１長さＬ１が実施形態より短く、面方向Ｙに沿って接合部Ｇ及び周壁１４ｂの内側面１４ｅと挿入部１７の外側面１７ａとが近付くほど、図６（ｂ）に示すように、蓋体１５は、接合部Ｇの内端Ｇａに最大応力が発生しやすく、内端Ｇａを変形起点として変形しやすくなる。すると、接合部Ｇが内端Ｇａから破壊されやすくなる。
【００３８】
ここで、図４のグラフについて説明すると、横軸は、第１長さＬ１（ｍｍ）、すなわち支持部１８の長さを示し、縦軸は、接合部Ｇに発生する応力（ＭＰａ）を示している。図４のグラフは、ケース１１に一定の内部圧力が印加され、蓋体１５が変形したときに接合部Ｇに発生する応力と、第１長さＬ１との関係を示している。そして、図４のグラフに示すように、第１長さＬ１が短いほど、接合部Ｇに発生する応力は大きくなり、比較例のように、第１長さＬ１が短い場合では、接合部Ｇに発生する応力が大きくなることが分かる。
【００３９】
一方、図５（ａ）に示すように、第１長さＬ１が長くなり、面方向Ｙに沿って接合部Ｇ及び周壁１４ｂの内側面１４ｅと挿入部１７の外側面１７ａとが離れるほど、図５（ｂ）に示すように、蓋体１５は、挿入部１７と支持部１８の交差部Ｐに最大応力が発生しやすく、その交差部Ｐを変形起点として変形しやすくなり、接合部Ｇは破壊されにくい。このように、第１長さＬ１が長くなり、最大応力が発生する箇所、すなわち変形起点が面方向Ｙに沿って接合部Ｇから離れることで、図４のグラフに示すように、蓋体１５の変形時に接合部Ｇに発生する応力が小さくなる。そして、接合部Ｇに発生する応力は、第１長さＬ１が所定の長さより長くなると小さい値でほぼ収束する。よって、蓋体１５の変形時、接合部Ｇに発生する応力を小さい値に抑えることを目的として、第１長さＬ１を、応力が小さい値で収束するときの値より長く設定しており、例えば、２ｍｍに設定している。
【００４０】
なお、第１長さＬ１は、この長さが代わり、応力が変動したとしても、接合部Ｇに耐久性への影響が変化しない、又は軽微であることが重要である。したがって、本実施形態における「収束」とは、応力の最大変動幅に対し、３０％以下の範囲内に収まった状態として定義している。
【００４１】
また、図５（ｂ）に示すように、接合部Ｇに発生する応力が小さくなる場合は、挿入部１７と支持部１８の交差部Ｐを変形起点とした場合である。このような変形を発生させるには、接合部Ｇの内端Ｇａと挿入部１７の外側面１７ａとを一定距離以上、離す必要がある。すなわち、第３長さＬ３が一定長さ以上、確保されている必要がある。この一定長さは、１．２ｍｍであることが発明者によって実証されている。そこで、第３長さを１．２ｍｍ確保して、交差部Ｐを変形起点とした変形を発生させるようにしている。
【００４２】
上記実施形態によれば、以下のような効果を得ることができる。
（１）蓋体１５の第１長さＬ１を、蓋体１５の変形時に接合部Ｇに発生する応力が小さい値に収束するときの値より長くなるように設定した。このため、蓋体１５が変形したときに接合部Ｇに発生する応力を小さくして、接合部Ｇに最大応力が発生することを抑制できる。よって、最大応力に耐え得るように接合部Ｇの強度を上げる必要がなく、接合部Ｇの溶接の深さを増やすために、溶接時間を長くする必要もない。その結果として、二次電池１０は、内部圧力の上昇に耐え得るとともに、生産性の悪化を抑制できる。また、接合部Ｇの破壊を原因として蓋体１５がケース本体１４から剥がれることを抑制できる。
【００４３】
（２）また、蓋体１５の第１長さＬ１を第２長さＬ２より短くしている。このように設定することで、挿入部１７の厚さを確保して、蓋体１５の剛性を維持できる。
（３）蓋体１５の第３長さＬ３を１．２ｍｍ確保した。このため、蓋体１５の変形時、挿入部１７と支持部１８の交差部Ｐを変形起点とした変形モードを発生させやすくなり、接合部Ｇに発生する応力を小さくしやすい。
【００４４】
なお、上記実施形態は以下のように変更してもよい。
○  蓋体１５の変形時、挿入部１７と支持部１８の交差部Ｐを変形起点とした変形モードにすることができれば、第３長さＬ３は、１．２ｍｍ以上であってもよい。
【００４５】
○  電極組立体１２と接続された端子部２９は、引出端子２４、端子接続部材２７、及び外部接続端子２６を用いた構造以外でもよい。例えば、端子部は、端子接続部材２７を備えず、引出端子と外部接続端子を兼用した構成であってもよい。すなわち、基部から外部接続端子が直接延び、その外部接続端子が蓋体１５を貫通するものであってもよい。又は、端子部は、導電部材２３を介さず、直接、タブ群２２に接続された外部接続端子のみで構成されたものであってもよい。この場合、外部接続端子において、ケース本体１４内に露出した端部が基部となる。
【００４６】
○  正極電極２０及び負極電極２１は、金属箔の片面に活物質層が存在する構造でもよい。
○  電極組立体は、長尺帯状の正極電極と、長尺帯状の負極電極とを、長尺帯状のセパレータを介して捲回した捲回型であってもよい。
【００４７】
○  蓄電装置は、例えばキャパシタなど、二次電池以外の蓄電装置にも適用可能である。
○  二次電池１０は、リチウムイオン二次電池以外の他の二次電池であってもよい。要は、正極用の活物質と負極用の活物質との間をイオンが移動するとともに電荷の享受を行うものであればよい。
【符号の説明】
【００４８】
Ｇ…接合部、Ｇａ…内端、Ｓ…開口部、Ｌ１…第１長さ、Ｌ２…第２長さ、Ｌ３…第３長さ、１０…蓄電装置としての二次電池、１１…ケース、１４…ケース本体、１５…蓋体、１５ａ…外側面、１７…挿入部、１７ａ…外側面、１７ｂ…先端面、１７ｃ…内側面、１８…支持部、１９…凹部、２４ｂ…基部、２６…外部接続端子、２８…絶縁部材としての内側絶縁部材、２９…端子部。
【図１】
2019160743.tif 000003
【図２】
2019160743.tif 000004
【図３】
2019160743.tif 000005
【図４】
2019160743.tif 000006
【図５】
2019160743.tif 000007
【図６】
2019160743.tif 000008